(57)【要約】      （修正有）【課題】簡単な製法で形成し且つ改ざんを効果的に防止する改ざん防止シールを提供する。【解決手段】商品Ｇに貼付した後に剥離すると、剥離したことを使用者に認識させるように構成したことで改ざんの防止をする改ざん防止シール１であって、紫外線硬化型の接着剤２０を用いて転写印刷された印刷層１０と、ポリオレフィン系樹脂又はアクリル系樹脂を用いて印刷層10の下に形成された基材層３０と、商品Ｇに基材層を粘着固定する粘着層４０とから構成されている。【選択図】図１
2008216945.tif 000002
【特許請求の範囲】
【請求項１】
対象物に貼付した後に剥離すると、剥離したことを使用者に認識させるように構成したことで改ざんの防止をする改ざん防止シールであって、
紫外線硬化型の接着剤を用いて転写印刷された印刷層と、
ポリオレフィン系樹脂又はアクリル系樹脂を用いて前記印刷層の下に形成された基材層と、
前記対象物に前記基材層を粘着固定する粘着層と、
を有することを特徴とする改ざん防止シール。
【請求項２】
対象物に貼付した後に剥離すると、剥離したことを使用者に認識させるように構成したことで改ざんの防止をする改ざん防止シールであって、
紫外線硬化型の接着剤を用いて転写印刷された印刷層と、
ウレタン系樹脂、ゴム系樹脂、又はビニル系樹脂を用いて前記印刷層の下に形成された基材層と、
前記対象物に前記基材層を粘着固定する粘着層と、
を有することを特徴とする改ざん防止シール。
【請求項３】
前記印刷層は、金属蒸着フィルム又はホログラムフィルムを用いて形成されることを特徴とする請求項１又は２に記載の改ざん防止シール。
【発明の詳細な説明】
【技術分野】
【０００１】
本発明は、対象物に貼付された後に剥離させる場合に貼付前の状態に戻らないように構成された改ざん防止シールに関する。
【背景技術】
【０００２】
従来、製品に貼付して、製品の特徴や製品の情報を表示したり宣伝広告的な機能を果たしたりするためのシールがある（例えば、特許文献１参照）。このようなシールの粘着剤の粘着力は一度製品に貼付した後も残るため、製品から剥がして他の箇所に再び貼付することができる。このため、一度正しい製品に貼付されたシールが剥がされ、他の製品に間違って貼付されると、製品の情報が正しく表示されないおそれがあった。
【０００３】
ここで、再び貼付できないように、多種類の層を形成し、剥離時には前記層の一部を剥離させることで、改ざんを防止するシールがある（例えば、特許文献２参照）。
【０００４】
【特許文献１】特開平１１−３２７４４３
【特許文献２】特開２００３−３４５２５５
【発明の開示】
【発明が解決しようとする課題】
【０００５】
しかしながら、多種類の層を形成することとすると、各層を形成するための製造過程が多くなり、コストが高くなるおそれがある。
【０００６】
そこで、本発明の目的は、簡単な製法で形成することができ且つ改ざんを効果的に防止する改ざん防止シールを提供することである。
【課題を解決するための手段】
【０００７】
上記目的を達成するための本発明の構成は、次のとおりである。
【０００８】
（１）
対象物に貼付した後に剥離すると、剥離したことを使用者に認識させるように構成したことで改ざんの防止をする改ざん防止シールであって、紫外線硬化型の接着剤を用いて転写印刷された印刷層と、ポリオレフィン系樹脂又はアクリル系樹脂を用いて前記印刷層の下に形成された基材層と、前記対象物に前記基材層を粘着固定する粘着層と、を有することを特徴とする改ざん防止シール。
【０００９】
（２）
対象物に貼付した後に剥離すると、剥離したことを使用者に認識させるように構成したことで改ざんの防止をする改ざん防止シールであって、紫外線硬化型の接着剤を用いて転写印刷された印刷層と、ウレタン系樹脂、ゴム系樹脂、又はビニル系樹脂を用いて前記印刷層の下に形成された基材層と、前記対象物に前記基材層を粘着固定する粘着層と、を有することを特徴とする改ざん防止シール。
【００１０】
（３）
前記印刷層は、金属蒸着フィルム又はホログラムフィルムで形成されることを特徴とする（１）又は（２）に記載の改ざん防止シール。
【発明の効果】
【００１１】
（１）の構成によると、一度シールを貼付してから剥離させるとき、シールを剥離させる力と粘着層の粘着力とにより、基材層が引っ張られる。ここで、基材層が伸びやすいポリオレフィン系樹脂で形成されていると、前述の引っ張られる力が作用することにより基材層が伸びる。すると、基材層の上に印刷された印刷層も伸び、印刷模様が変形する。これにより、シールが一度剥離されたことがわかる。また、基材層が伸びてすぐに破断するアクリル系樹脂で形成されていると、前述の引っ張られる力が作用することにより基材層が伸びてすぐに破断する。すると、基材層の上に印刷された印刷層も伸びて破断し、印刷模様が破断する。これにより、シールが貼付された後に剥離されたことがわかり、改ざん防止することができる。
【００１２】
（２）の構成によると、一度シールを貼付してから剥離させるとき、シールを剥離させる力と粘着層の粘着力とにより、基材層が引っ張られる。ここで、基材層がウレタン系樹脂、ゴム系樹脂、又はビニル系樹脂であれば、伸張性の高い塗膜を得ることができる。
【００１３】
（３）の構成においては、紫外線硬化型の接着剤を用い基材の表面に転写印刷して金属光沢を得る。このように形成された金属光沢は、ごく小さい変形によっても輝度が大幅に低下する。このため、より小さな基材の変形を認識しやすくなり、より改ざん防止の効果を上げることができる。また、金属光沢やホログラムのように輝度のある印刷層とすると、その輝度によってシールの外観の装飾性及び意匠性が向上する。
【発明を実施するための最良の形態】
【００１４】
図を用いて本発明の一実施形態を説明する。図１はシールの構造を説明する図であり、（ａ）はシールの斜視図で、（ｂ）はシールの拡大断面図である。
【００１５】
〔シールの構造〕
図１（ａ）に示すように、改ざん防止シール１は、貼付対象物としての商品Ｇに貼付される。シール１の層構成としては、図１（ｂ）に示すように、表面から裏面にかけて、印刷層10、紫外線硬化型接着剤層20、基材層30、粘着層40となる。
【００１６】
印刷層10は、シール１の表面に現れて、商品の情報を表示し、装飾や広告となる。印刷層は転写シート等を用いて多色の印刷を施すことができる。特に、金属加飾シートやホログラムシートを用いて転写をすれば、シール１上に金属光沢のある加飾をすることができる。
【００１７】
紫外線硬化型接着剤層20は、紫外線により硬化する接着剤（ＵＶ接着剤）で構成される。ＵＶ接着剤を用いることで、印刷層10を形成する際、熱による印刷面の膨張や収縮を防止することができる。ここで、熱によって軟化する接着剤を用い、印刷層を有する転写フィルムを基材層30に転写印刷する場合、熱によって転写フィルム自体が膨張又は収縮することで印刷が歪むおそれがある。この反面、本実施形態においては、熱を用いずに印刷層10を転写する構成であるので、印刷層10に膨張又は収縮をさせることがない。この結果、印刷層10を変形させることなく基材層30に転写させることができ、印刷が歪むおそれがない。
【００１８】
基材層30は、合成樹脂で構成され、特にポリオレフィン系樹脂又はアクリル系樹脂で構成される。ポリオレフィン系の樹脂で構成された基材層30は、伸びやすいという性質がある。また、アクリル系の樹脂で構成された基材層30は、伸びてすぐ破断するという性質がある。
【００１９】
尚、基材層30の材質はこれに限られるものではない。例えば、ウレタン系樹脂（可溶性ナイロン樹脂を含む）の基材層30の場合、伸張率の高い塗膜を得ることができる。また、基材層30をゴム系樹脂（天然ゴム、合成ゴム、ＳＩＳ・ＳＢＳ等のブロック共重合体等）とする場合、炭化水素系溶剤で比較的低濃度で溶解することができる。このため、キャスティング法による薄膜化が可能であり、薄膜（数μｍ〜１５μｍ程度）となる。加えて、伸張性の高い強靱な塗膜形成が可能となる。また、ビニル系樹脂（非塩化ビニルの、酢酸ビニル系、ポリビニルブチラール等）の基材層30の場合、溶剤に可溶性のポリマーであり、低濃度又は中濃度で溶解することができ、薄膜（数μｍ〜１５μｍ程度）からやや厚い膜（５０μｍ以下）、伸張性が高く伸びに対する抵抗力が少ない塗膜を得ることができる。
【００２０】
粘着層40は、商品Ｇに基材層30を粘着固定させるための粘着剤で構成される。粘着剤の粘着力は、後述の引張力を発生するためにシール１が容易に剥がれないような粘着力とするのが好ましい。
【００２１】
〔シールの製造方法〕
以上の構成のシール１は、次のように製造される。図２はシールの製造方法についての概略説明図である。本実施形態においては、印刷層10として金属蒸着フィルムを用いて形成した例を示すが、これに限るものではない。例えば、ホログラムフィルムとしてもよく、通常の色つきの模様であってもよい。
【００２２】
図２に示すように、シール１の製造装置120は、金属蒸着層が連続フィルム上に転写されている金属蒸着フィルム131を巻いて保持する金属蒸着フィルム保持ローラ121と、ＵＶ接着剤を基材シート132に付与するＵＶ接着剤塗布装置122と、基材層30と粘着層40と台紙を一体的に形成した基材シート132を巻いて保持する基材シート保持ローラ123と、
紫外線照射機124と、印刷層10を付与した後に金属蒸着フィルム131を巻き取る金属蒸着フィルム巻取ローラ125と、完成したシール１を巻き取るシール巻取ローラ126と、を有する。
【００２３】
図２に示すように、まず基材シート保持ローラ123に巻きつけられて保持される基材シート132は順次送られ、接着剤塗布装置122に導入される。すると、導入された基材シート132の所定箇所（金属加飾を施したい箇所）には、接着剤塗布装置122内の塗布ローラ122ａによって、ＵＶ接着剤が塗布される。ＵＶ接着剤を表面の前記所定箇所に塗布された後、基材シート132はガイドローラ対127へ搬送される。
【００２４】
一方、金属蒸着フィルム保持ローラ121から送られた金属蒸着フィルム131は、基材シート132とともに、互いに当接するガイドローラ対127へ送られる。ガイドローラ対127を通過した後において、金属蒸着フィルム131と基材シート132とが紫外線硬化型接着剤層20を介して積層され、多層フィルム133となって搬送される。
【００２５】
次に、この多層フィルム133は、ガイドローラ対127及びガイドローラ対128の間のラミネート区域Ａを通過しつつ、紫外線照射機124に入る。紫外線照射機124においては、多層フィルム133に紫外線が照射される。これにより、金属蒸着フィルム131と基材シート132との間で紫外線硬化型接着剤層20が粘着性を持ち、金属蒸着フィルム131と基材シート132とは紫外線硬化型接着剤層20を介して一体になる。
【００２６】
一体になった多層フィルム133は、その後、搬送方向下流側のガイドローラ対128を抜ける。すると、多層フィルム133は、上部側の一方を金属蒸着フィルム巻取ローラ125に巻き取られ、他方をシール巻取ローラ126によって別々に巻き取られる。
【００２７】
このようにすることで、基材シート132上に紫外線硬化型接着剤層20が施された部分以外の金属蒸着層は、金属蒸着フィルム131に残留した状態でシール巻取ローラ126に巻き取られる。一方、基材シート132上に紫外線硬化型接着剤層20が施された部分に対向する金属蒸着層は、シール１側の印刷層10（金属蒸着層）となって転写され、シール巻取ローラ126に巻き取られることとなる。
【００２８】
こうしてシール巻取ローラ126に巻き取られたシール１は、印刷層10、紫外線硬化型接着剤層20、基材層30（粘着層40及びその台紙を含む）のように一体的に積層される。
【００２９】
以上のような製造方法により製造されるシール１は、熱を使わずＵＶ接着剤を用いて印刷層10を転写して構成される。このため、熱による影響を受けずに印刷層10と基材層30とを一体にすることができる。また、従来はポリオレフィン系樹脂を基材の上に金属光沢を付けることは困難であったが、ＵＶ接着剤を用いることで、金属光沢を容易につけることが可能となった。
【００３０】
〔シールの使用状態〕
図３はシールを剥離した状態を示す斜視図であり、（ａ）は基材にポリオレフィン系樹脂を用いた場合で、（ｂ）は基材にアクリル系樹脂を用いた場合である。
【００３１】
一度シール１を商品Ｇに貼付してから剥離させるとき、シール１を剥離させる力と粘着層40の粘着力とにより、基材層30に引張力がはたらく。ここで、基材層30をポリオレフィン系樹脂で構成した場合、基材層30は伸びやすいという特性を持つため、前述の引張力が作用することにより基材層30が伸びる。すると、基材層30の上に印刷された印刷層10も伸び、図３（ａ）のように印刷模様が変形する。このように、シール１を商品Ｇに貼付した後に剥離すると、剥離したことを使用者に認識させる。これにより、改ざんの防止をすることができる。
【００３２】
一方、基材層30をアクリル系樹脂で構成した場合、基材層30は伸びてすぐに破断するという特性を持つため、前述の引張力が作用することにより基材層30が伸びてすぐに破断する。すると、基材層30の上に印刷された印刷層10も伸びて破断し、図３（ｂ）のように印刷模様が破断する。これにより、シールが貼付された後に剥離されたことがわかり、改ざんを防止することができる。
【産業上の利用可能性】
【００３３】
本発明は、改ざんを防止するシート状のものに利用することができる。
【図面の簡単な説明】
【００３４】
【図１】シールの構造を説明する図。
【図２】シールの製造方法についての概略説明図。
【図３】シールを剥離した状態を示す斜視図。
【符号の説明】
【００３５】
Ａ…ラミネート区域、Ｇ…商品、１…改ざん防止シール、10…印刷層、20…紫外線硬化型接着剤層、30…基材層、31…金属蒸着フィルム、40…粘着層、120…製造装置、121…金属蒸着フィルム保持ローラ、122…ＵＶ接着剤塗布装置、122ａ…塗布ローラ、123…基材シート保持ローラ、124…紫外線照射機、125…金属蒸着フィルム巻取ローラ、126…シール巻取ローラ、127…ガイドローラ対、128…ガイドローラ対、131…金属蒸着フィルム、132…基材シート、133…多層フィルム
【図１】
2008216945.tif 000003
【図２】
2008216945.tif 000004
【図３】
2008216945.tif 000005